(57)【要約】【課題】キー又はダイヤル解除式のロックによって簡単に施錠と開錠ができて、ベビーカーの盗難の防止及び盗難抑止効果が得られる装置を提供する。【解決手段】ベビーカーＢの前後の車輪２を支持する前後に斜めに設けられた車輪支持軸３の少なくともいずれか１つを筒状に形成し、基端部にグリップ５を備えるとともに先端部分９を人の手で容易に曲がらない強度に形成した地突き棒４を、前記筒状の車輪支持軸３内に、該車輪支持軸３の下端口３ａから先端部分９からグリップ５の押し引きで出没可能となるように装着し、該地突き棒４の先端部分９が車輪２よりも下方に突出した状態で出没を不能とするキー又はダイヤル解除式のロック６を備えたことを特徴とする。【選択図】  図１
2011240832.tif 000002
【特許請求の範囲】
【請求項１】
ベビーカーの前後の車輪を支持する前後に斜めに設けられた車輪支持軸の少なくともいずれか１つを筒状に形成し、基端部にグリップを備えるとともに先端部分を人の手で容易に曲がらない強度に形成した地突き棒を、前記筒状の車輪支持軸内に、該車輪支持軸の下端口から先端部分からグリップの押し引きで出没可能となるように装着し、該地突き棒の先端部分が車輪よりも下方に突出した状態で出没を不能とするキー又はダイヤル解除式のロックを備えたことを特徴とするベビーカー盗難防止装置。
【請求項２】
ベビーカーの前後の車輪を支持する前後に斜めに設けられた車輪支持軸の少なくともいずれか１つに平行な筒体を固着し、基端部にグリップを備えるとともに先端部分を人の手で容易に曲がらない強度に形成した地突き棒を、前記筒体内に、該筒体の下端口から先端部分からグリップの押し引きで出没可能となるように装着し、該地突き棒の先端部分が車輪２よりも下方に突出した状態で出没を不能とするキー又はダイヤル解除式のロックを備えたことを特徴とするベビーカー盗難防止装置。
【請求項３】
ベビーカーの前後の車輪を支持する前後に斜めに設けられた車輪支持軸の少なくともいずれか１つに平行な筒体を、該車輪支持軸から破壊せずには外せない固着取付け手段を介して取付け可能に形成し、基端部にグリップを備えるとともに先端部分を人の手で容易に曲がらない強度に形成した地突き棒を、前記筒体内に、該筒体の下端口から先端部分からグリップの押し引きで出没可能となるように装着し、該地突き棒の先端部分が車輪よりも下方に突出した状態で出没を不能とするキー又はダイヤル解除式のロックを備えたことを特徴とするベビーカー盗難防止装置。
【請求項４】
筒体を車輪支持軸に固着するときに、破壊して外したときの車輪支持軸に前記筒体が固着されてあったことの証拠となる溝が形成される刻印を施せるようにしたことを特徴とする請求項３に記載のベビーカー盗難防止装置。
【請求項５】
地突き棒の先端部分を警告色に着色したことを特徴とする請求項１から４のうちいずれかに記載のベビーカー盗難防止装置。
【請求項６】
地突き棒の先端部分に、先端部分が該車輪支持軸の下端口又は筒体の下端口から突出したときには警告シートがバネで開き、バネに抗して没入したときには警告シートが閉じる警告標識を設けたことを特徴とする請求項１から５のうちいずれかに記載のベビーカー盗難防止装置。
【発明の詳細な説明】
【技術分野】
【０００１】
本発明はベビーカーの盗難を防止するための装置に関する。
【背景技術】
【０００２】
ベビーカーは高価な商品が多く販売されており、人が容易に持ち上げることができるために持ち去られ易く、盗難事件が多発している。
これに関連して、車輪にロックを設けることについては、例えば下記特許文献１に記載のペダル式ロックのように、従来はベビーカーの暴走を防止するために車輪の回転をロックするものであり、したがってこのようなロックは傾斜地などでの暴走事故の防止には役立つものの盗難の防止には全く役立っていない。
一方、ベビーカーと同様に持ち去られて易い自転車では、サドルやハンドルを屈曲させて施錠し、そのままでの使用を不能とする盗難防止装置が提案されているが、構造が異なるベビーカーにそのまま用いることはできない。
【先行技術文献】
【特許文献】
【０００３】
【特許文献１】特開２０００−１１８４１１
【発明の概要】
【発明が解決しようとする課題】
【０００４】
従来のベビーカーの車輪のロックでは、盗難防止を目的としたものではないため、簡単にロックが解除できるようになっているので盗難防止には全く効果が期待できない。このように、従来のベビーカーは盗難に対して無防備であった。
なお、盗難を防止するため、施錠手段を備えたワイヤーや鎖等で電信柱などにベビーカーの本体を繋ぐ方法も可能であるが、買い物などでベビーカーから乳幼児を抱えて離れることの多い店舗には繋ぎとめる柱が必ずしもあるわけではなく、あってもそれに繋ぐのは面倒なことであった。
【０００５】
そこで、本発明は、簡単に施錠と開錠ができて、ベビーカーの盗難の防止及び盗難抑止効果が得られる装置を提供することを目的とする。
【課題を解決するための手段】
【０００６】
上記課題を解決するため、本発明のベビーカー盗難防止装置は、請求項１に記載の発明にあっては、ベビーカーの前後の車輪を支持する前後に斜めに設けられた車輪支持軸の少なくともいずれか１つを筒状に形成し、基端部にグリップを備えるとともに先端部分を人の手で容易に曲がらない強度に形成した地突き棒を、前記筒状の車輪支持軸内に、該車輪支持軸の下端口から先端部分からグリップの押し引きで出没可能となるように装着し、該地突き棒の先端部分が車輪よりも下方に突出した状態で出没を不能とするキー又はダイヤル解除式のロックを備えたことを特徴とする。
【０００７】
請求項２に記載の発明にあっては、ベビーカーの前後の車輪を支持する前後に斜めに設けられた車輪支持軸の少なくともいずれか１つに平行な筒体を固着し、基端部にグリップを備えるとともに先端部分を人の手で容易に曲がらない強度に形成した地突き棒を、前記筒体内に、該筒体の下端口から先端部分からグリップの押し引きで出没可能となるように装着し、該地突き棒の先端部分が車輪よりも下方に突出した状態で出没を不能とするキー又はダイヤル解除式のロックを備えたことを特徴とする。
【０００８】
請求項３に記載の発明にあっては、ベビーカーの前後の車輪を支持する前後に斜めに設けられた車輪支持軸の少なくともいずれか１つに平行な筒体を、該車輪支持軸から破壊せずには外せない固着取付け手段を介して取付け可能に形成し、基端部にグリップを備えるとともに先端部分を人の手で容易に曲がらない強度に形成した地突き棒を、前記筒体内に、該筒体の下端口から先端部分からグリップの押し引きで出没可能となるように装着し、該地突き棒の先端部分が車輪よりも下方に突出した状態で出没を不能とするキー又はダイヤル解除式のロックを備えたことを特徴とする。
【０００９】
請求項４に記載の発明にあっては、上記各発明において、前記筒体を車輪支持軸に固着するときに、破壊して外したときの車輪支持軸に前記筒体が固着されてあったことの証拠となる溝が形成される刻印を施せるようにしたことを特徴とする。
【００１０】
請求項５に記載の発明にあっては、上記各発明において、前記地突き棒の先端部分を警告色に着色したことを特徴とする。
【００１１】
請求項６に記載の発明にあっては、上記各発明において、前記地突き棒の先端部分に、先端部分が該車輪支持軸の下端口又は筒体の下端口から突出したときには警告シートがバネで開き、バネに抗して没入したときには警告シート９が閉じる警告標識を設けたことを特徴とする。
【発明の効果】
【００１２】
本発明は、前記地突き棒の先端部分が車輪よりも下方に突出した状態で出没を不能とするキー又はダイヤル解除式のロックを備えたことで、ロック中に前記地突き棒の先端部分が地面に突き当たってベビーカーの移動が阻害される結果、ベビーカーの使用が不能となる。
そして、キー又はダイヤル解除式のロックは、所有者以外ではロックの解除ができないので盗難防止及び盗難抑止の効果が得られる。
さらに、地面に突き刺さったように見える前記地突き棒の先端部分を見たとき、窃盗しようとした者は窃盗の意思を萎えさせ、さらに窃盗を諦めるようになることが期待できる。
また、所有者は、キーを差込むか又はダイヤル合わせして簡単にロックを解除でき、さらに引くだけで容易に前記地突き棒の先端部分を筒状の車輪支持軸内に、没入させベビーカーの移動の支障はなく使用するこができる。
【００１３】
請求項２の発明にあっては、車輪支持軸が筒状に形成できない場合や、車輪支持軸が車輪の回転軸と直交する場合など、車輪支持軸に直接には組み込めない構造のベビーカーに設けることが可能となる。
【００１４】
請求項３の発明にあっては、使用している既存のベビーカーに後付けで前記筒体を固着することが可能となり、この場合、本発明の部品を購入した者が、自ら簡単な工具で車輪支持軸３に対して容易に装着することが可能となる。
【００１５】
請求項４の発明にあっては、盗難にあっても、これを使用しようとする者は車輪支持軸から本発明の部品を破壊しなければ外ことが容易にはできず、もし外したとしてもそのときには車輪支持軸に本発明の部品が装着されていたとの証拠となる刻印の溝が現れる、その刻印は前記車輪支持軸を削らなければ隠せないので、盗難品と簡単に見分けられるようになる。このため、転売目的の盗難の抑止及び防止が可能となる。
【００１６】
請求項５の発明にあっては、外から目立つ警告色によって、そのベビーカーは「防犯装置がある」ことについて目立つように周囲に認識させることが可能となり、窃盗意欲を減退させて萎えさせることで盗難の抑止及び防止効果が得られる。
【００１７】
請求項６の発明にあっては、警告シートが開いて警告標識が大きく目立つようにすることが可能となる。その警告シートを見たとき、窃盗しようとした者は窃盗の意思を殺がれ、さらに窃盗を諦めるようになる。
以上のように本発明ではロック自体で盗難を防止することと、前記地突き棒の先端部分を積極的に周囲から目立つようにしたことで、簡単に持ち上げられ盗難されやすい軽量のベビーカーであっても窃盗意欲を削いで犯罪を予防できるという二重の盗難防止及び抑止効果を得ることが可能となる。
【図面の簡単な説明】
【００１８】
【図１】本発明の棒軸を車輪支持軸内に組み込んだ形態を示す斜視図である。
【図２】別の形態の斜視図である。
【図３】筒体を用いた形態を示す斜視図である。
【図４】ダイヤル解除式のロックを使用した形態を示す斜視図である
【図５】筒体を用いた形態の（イ）は装着前の警告標識を隠した状態を示し、（ロ）は装着後の警告標識を開いた状態を示す斜視図である。
【図６】警告標識が（イ）は閉じた状態を示し（ロ）は開いた状態を示す要部の斜視図である。
【図７】ロック部分の構造の一部を切欠いた状態を示す斜視図である。
【発明を実施するための形態】
【００１９】
本発明の実施形態を説明する。
本発明のベビーカーの盗難防止装置は、ベビーカーＢの前後の車輪２を支持する前後に斜めに設けられた車輪支持軸３に一体的に組み込んだもの（第１タイプ）と、車輪支持軸３に平行に筒体１４を固着したもの（第２タイプ）と、車輪支持軸３と筒体１４が分離されているが購入した者が後で固着できるようにしたもの（第３タイプ）の３タイプがある。
【００２０】
その内（第１タイプ）は、図１、図２及び図４に示すように、ベビーカーＢの前後の車輪２を支持する前後に斜めに設けられた車輪支持軸３の少なくともいずれか１つを筒状に形成する（図１、図２は左前、図４は右前の各車輪支持軸３に設けたことが示されている）。
そして、基端部にグリップ５を備えるとともに先端部分９を人の手で容易に曲がらない強度に形成した地突き棒４を、前記筒状の車輪支持軸３内に、該車輪支持軸３の下端口３ａから先端部分９からグリップ５の押し引きで出没可能となるように装着する。
さらに、該地突き棒４の先端部分９が車輪２よりも下方に突出した状態で出没を不能とするキー（図１、図２に示す）又はダイヤル解除式のロック６（図４に示す）を備える。
このロック６の位置は前記車輪支持軸３のいずれの位置にも設けることが可能であるが屈んで施錠作業がしやすいようにできるだけ上方部位に設けると良い。
【００２１】
前記ロック６は、図７に示すように、前記筒状の車輪支持軸３の中に地突き棒４を差し込み、地突き棒４にはロックさせる部位にロック溝１８を形成して、このロック溝１８を挟むロック孔１９ａを設けたロック板１９を、地突き棒４が該ロック孔１９ａを貫通して、ロック位置で係止可能となるように設け、ロックする際には、該地突き棒４の先端部分９が車輪２よりも下方に突出した状態となる位置でロック可能な構造とすることが可能である。
また、ロックの際に用いる施錠装置は、図１及び図７ではキー８を示しているが、ダイヤル解除式のロック（図４中のダイヤル１７が示される部分）でも良く、従来の自転車用の盗難防止用のロックと同様の構造を持つロックが利用可能である。
【００２２】
次に（第２タイプ）の説明をする。
この第２タイプでは、図３に示すように、ベビーカーＢの前後の車輪２を支持する前後に斜めに設けられた車輪支持軸３の少なくともいずれか１つに平行な筒体１４を固着する。
そして、基端部にグリップ５を備えるとともに先端部分９を人の手で容易に曲がらない強度に形成した地突き棒４を、前記筒体１４内に、該筒体１４の下端口１４ａから先端部分９からグリップ５の押し引きで出没可能となるように装着する。
さらに、該地突き棒４の先端部分９が車輪２よりも下方に突出した状態で出没を不能とするキー又はダイヤル解除式のロック６を備える。
【００２３】
前記第１タイプでは、車輪支持軸３が筒状に形成できない場合や、車輪支持軸３が車輪の回転軸と直交する場合などでは車輪支持軸３内には装着できない。しかし、この第２タイプでは、車輪支持軸３に直接には組み込めない構造のベビーカーであっても車輪支持軸３に固着して設けることが可能となる。
その場合、前後の車輪２を支持する前後に斜めに設けられた前記車輪支持軸３のいずれであっても設けることが可能となり、そのうちどれにするかは自由に選択できる。
固着の方法は各種あるが、だれでも簡単に外せるものでは盗難の防止効果が薄れるので、簡単に外れることのないように、溶接したり金属製固着帯１５で巻いたりしてできるだけ強固に固着することが好ましい。
なお、図３ではグリップ５の位置が低いので操作しやすいようにグリップ５を側方に突出させて設けた態様を示している。
【００２４】
次に、（第３タイプ）を説明する。
この第３タイプは、図５の（イ）、（ロ）に示すように、ベビーカーＢの前後の車輪２を支持する前後に斜めに設けられた車輪支持軸３の少なくともいずれか１つに平行な筒体１４を、該車輪支持軸３から破壊せずには外せない固着取付け手段を介して取付け可能に形成する。
そして、基端部にグリップ５を備えるとともに先端部分９を人の手で容易に曲がらない強度に形成した地突き棒４を、前記筒体１４内に、該筒体１４の下端口１４ａから先端部分９からグリップ５の押し引きで出没可能となるように装着する。
さらに、該地突き棒４の先端部分９が車輪２よりも下方に突出した状態で出没を不能とするキー又はダイヤル解除式のロック６を備える。
【００２５】
この第３タイプでは使用している既存のベビーカーに後付けで前記筒体１４を固着することが可能となる。
その場合、本発明の部品を購入した者が、自ら簡単な工具で車輪支持軸３に対して容易に装着することが可能となる。
前記筒体１４を車輪支持軸３に固着するときには、破壊して外したときの車輪支持軸３に前記筒体１４が固着されてあったことの証拠となる刻印（図中のカシメ部１６の内側部分）の溝が自動的に傷付くように彫れると良い。
【００２６】
上記いずれのタイプにおいても、図１及び図４に示すように、前記地突き棒４の先端部分９を警告色に着色することができ、その外から目立つ警告色によって、そのベビーカーは「防犯装置がある」ことについて周囲に明確に認識させることが可能となり、窃盗意欲を減退させて萎えさせる効果が得られる。
【００２７】
また、図２、図３及び図６の（イ）、（ロ）に示すように、前記地突き棒４の先端部分９に、先端部分９が該車輪支持軸３の下端口３ａ又は筒体１４の下端口１４ａから突出したときには警告シート１０ａがバネ２２で開き、バネ２２に抗して没入したときには警告シート１０ａが閉じる警告標識１０を設けることができる。
図６の（イ）、（ロ）はその要部を示すもので、筒体１４の下端口１４ａから突出した前記地突き棒４の先端部分９には、中を空洞にした開口部２０が形成され、その空洞内に、扇子状の枢支部２１で開閉可能な警告シート開閉軸１１がその軸に張った警告シート１０ａとともに収納され、前記警告シート開閉軸１１と前記地突き棒４の先端部分９の空洞内とに装着された板バネ２２の附勢で扇子状に開くように警告標識１０が設ける。
【００２８】
そして、前記地突き棒４の先端部分９が前記筒体１４の下端口１４ａの中に没入するときには自動的に警告シート開閉軸１１が下端口１４ａに押されて折り畳まれ、前記警告シート１０ａとともに空洞内に納まって閉じられる。またその下端口１４ａから前記地突き棒４の先端部分９から突出して行くときには空洞内の納まっていた前記警告シート開閉軸１１がバネ２２に力で自動的に開いて警告シート１０ａか広げられる。該警告シート１０ａは赤などの目立つ色にし、その表面には警告文等を書いておくと窃盗の犯行抑止効果が高められるので良い。
【産業上の利用可能性】
【００２９】
本発明のベビーカーの盗難防止装置は買い物用手押し車などにも施して利用することが可能となる。
【符号の説明】
【００３０】
Ｂ    ベビーカー
１    ハンドルフレーム
２    車輪
３    車輪支持軸
３ａ  下端口
４    地突き棒
５    グリっプ
６    ロック
７    キー差込孔
８    キー
９    先端部分
１０ａ  警告シート
１０  警告標識
１１  警告シート開閉軸
１２  車輪支持軸の上部開口
１３  車輪支持軸延長部
１３ａ  下端口
１４  筒体
１４ａ  下端口
１５  金属製固着帯
１６  カシメ部
１７  ダイヤル
１８  ロック溝
１９  ロック板
１９ａ  ロック孔
２０  開口部
２１  枢支部
２２  板バネ
【図１】
2011240832.tif 000003
【図２】
2011240832.tif 000004
【図３】
2011240832.tif 000005
【図４】
2011240832.tif 000006
【図５】
2011240832.tif 000007
【図６】
2011240832.tif 000008
【図７】
2011240832.tif 000009